【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
静電摩擦（ＥＳＦ）効果を提供するように構成されるインターフェースデバイスであって、
該インターフェースデバイスの表面に配置された複数の電極と、
信号生成回路の出力において第１の駆動信号を生成するように構成された該信号生成回路と、
前記信号生成回路と前記複数の電極とに電気的に接続された複数の周波数フィルターユニット又は複数の遅延要素であって、前記複数の電極の各電極は、それぞれの周波数フィルターユニット又はそれぞれの遅延要素の出力に電気的に接続されるようになっており、該それぞれの周波数フィルターユニット又は該それぞれの遅延要素の入力は、前記信号生成回路の前記出力に電気的に接続されている、複数の周波数フィルターユニット又は複数の遅延要素と、
前記複数の周波数フィルターユニット又は前記複数の遅延要素を用いて、（ｉ）前記複数の電極のうちの１つ以上の電極のサブセットのみに、前記第１の駆動信号を用いて１つ以上のそれぞれのＥＳＦ効果を出力させるか、又は（ｉｉ）前記複数の電極のうちの少なくとも２つの電極に、前記第１の駆動信号を用いて異なるそれぞれの方法でそれぞれのＥＳＦ効果を出力させるように構成された制御ユニットと、
を備える、インターフェースデバイス。
【請求項２】
前記インターフェースデバイスは前記複数の周波数フィルターユニットを備え、該複数の周波数フィルターユニットの各々は、それぞれの通過周波数帯域又は通過周波数帯域のそれぞれのセットを有し、前記それぞれの通過周波数帯域又は前記通過周波数帯域のそれぞれのセットの外にある前記第１の駆動信号のあらゆる周波数成分をブロックするように構成され、前記複数の周波数フィルターユニットの前記それぞれの通過周波数帯域又は前記通過周波数帯域のそれぞれのセットは、周波数が重複していないか、又は周波数が部分的にのみ重複している、請求項１に記載のインターフェースデバイス。
【請求項３】
前記制御ユニットは、（ｉ）第１の電極のそれぞれの周波数フィルターユニットの前記それぞれの通過周波数帯域又は前記通過周波数帯域のそれぞれのセット内にあり、かつ、（ｉｉ）前記インターフェースデバイスの前記複数の電極の残余の前記複数の周波数フィルターユニットの残余の前記それぞれの通過周波数帯域又は前記通過周波数帯域のそれぞれのセットの外にある、周波数成分のみを有する前記第１の駆動信号を前記信号生成回路に生成させるように構成され、前記複数の周波数フィルターユニットは、前記複数の電極のうちの前記第１の電極のみに、前記第１の駆動信号を用いてＥＳＦ効果を出力させるようになっている、請求項２に記載のインターフェースデバイス。
【請求項４】
前記複数の周波数フィルターユニットの各々は、単一のそれぞれの通過周波数帯域のみを有し、前記複数の周波数フィルターユニットの前記それぞれの通過周波数帯域は、周波数が重複していない、又は、
前記複数の周波数フィルターユニットの各々は、通過周波数帯域のそれぞれのセットを有し、前記複数の周波数フィルターユニットの該通過周波数帯域のそれぞれのセットは、周波数の部分的な重複を有する、請求項２に記載のインターフェースデバイス。
【請求項５】
前記複数の周波数フィルターユニットは、第１の減衰レベルを有する前記第１の駆動信号を前記複数の電極のうちの第１の電極に渡すように構成された第１の周波数フィルターユニットを含むとともに、前記第１の減衰レベルと異なる第２の減衰レベルを有する前記第１の駆動信号を前記複数の電極のうちの第２の電極に渡すように構成された第２の周波数フィルターユニットを含み、前記インターフェースデバイスは、前記第１の電極及び前記第２の電極に、異なるそれぞれの強度レベルを有する前記第１の駆動信号を用いてそれぞれのＥＳＦ効果を出力させるように構成されている、請求項２に記載のインターフェースデバイス。
【請求項６】
前記複数の周波数フィルターユニットは、第１の遅延期間を生成する第１の位相シフトを有する前記第１の駆動信号を前記複数の電極のうちの第１の電極に渡すように構成された第１の周波数フィルターユニットを含むとともに、前記第１の遅延期間と異なる第２の遅延期間を生成する第２の位相シフトを有する前記第１の駆動信号を前記複数の電極のうちの第２の電極に渡すように構成された第２の周波数フィルターユニットを含み、前記インターフェースデバイスは、前記第１の電極及び前記第２の電極に、異なるそれぞれの時刻において前記第１の駆動信号を用いてそれぞれのＥＳＦ効果を出力させるように構成されている、請求項２に記載のインターフェースデバイス。
【請求項７】
前記制御ユニットは、前記インターフェースデバイスと決められたロケーションとの間の空間関係を求めるか、又は現時刻と決められたイベントとの間の時間関係を求めるように構成されているとともに、前記１つ以上の電極のサブセットを選択して前記空間関係又は前記時間関係を伝達するように構成されている、請求項２に記載のインターフェースデバイス。
【請求項８】
前記インターフェースデバイスは、前記複数の周波数フィルターユニットを備え、
前記第１の駆動信号は、前記信号生成回路が、異なるそれぞれの時間帯において又は異なる信号生成コマンドに応答して生成するように構成されている複数の駆動信号のうちの１つであり、
前記制御ユニットは、前記複数の周波数フィルターユニットに、前記複数の駆動信号を前記複数の電極の異なるそれぞれの電極に渡させるように構成されている、請求項１に記載のインターフェースデバイス。
【請求項９】
前記複数の電極は、電極のアレイとして配列され、前記制御ユニットは、前記複数の周波数フィルターユニットを用いて、前記電極のアレイに、前記それぞれの駆動信号を用いてそれぞれのＥＳＦ効果を順次出力させ、前記電極のアレイに沿った流れの感触を生成させるように構成されている、請求項８に記載のインターフェースデバイス。
【請求項１０】
前記インターフェースデバイスは、前記複数の遅延要素を備え、該複数の遅延要素は、前記それぞれの遅延要素の入力から該それぞれの遅延要素の出力までの前記第１の駆動信号の異なるそれぞれの遅延期間を導入することによって、前記複数の電極の各電極がＥＳＦ効果を出力するタイミングを制御するように構成されている、請求項１に記載のインターフェースデバイス。
【請求項１１】
前記複数の電極は、該複数の電極が隣接する電極間に一様な間隔を有するアレイに配列されている、請求項１に記載のインターフェースデバイス。
【請求項１２】
前記アレイは２次元アレイである、請求項１１に記載のインターフェースデバイス。
【請求項１３】
前記インターフェースデバイスはウェアラブルデバイスである、請求項１に記載のインターフェースデバイス。
【請求項１４】
前記信号生成回路は、第１の信号を前記第１の駆動信号に増幅するように構成された増幅器回路を備え、該増幅器回路は、前記第１の信号を前記第１の駆動信号に増幅する前記インターフェースデバイスにおける唯一の増幅器回路である、請求項１に記載のインターフェースデバイス。
【請求項１５】
前記制御ユニットは、ユーザー接触を受けている幾つかの電極が、前記第１の駆動信号を用いてそれぞれのＥＳＦ効果を生成するために選択されないように、ユーザー接触を受けている前記複数の電極のうちの電極のセットの中から前記１つ以上の電極のサブセットを選択するように構成されている、請求項１に記載のインターフェースデバイス。
【請求項１６】
静電摩擦（ＥＳＦ）効果を提供するように構成されるインターフェースデバイスであって、
信号生成回路の出力において第１の駆動信号を生成するように構成された該信号生成回路と、
複数の遅延要素であって、それぞれの該遅延要素の入力からそれぞれの該遅延要素の出力までのそれぞれの遅延期間を前記第１の駆動信号に導入するように構成されている、複数の遅延要素と、
前記複数の遅延要素に対応する複数の電極であって、該複数の電極の各々は、前記それぞれの遅延要素の前記出力に接続され、前記第１の駆動信号を用いてそれぞれのＥＳＦ効果を生成するように構成されている、複数の電極と、
を備え、
前記複数の遅延要素及びそれらのそれぞれの電極は、各々がそれぞれの遅延要素及びそれぞれの電極を備える複数のそれぞれのペアを形成し、
前記遅延要素及びそれらのそれぞれの電極の複数のペアは電気的に直列に接続され、該直列接続における第１のペアの遅延要素の入力が、前記信号生成回路の前記出力に接続されるとともに、該直列接続における他の全てのペアの遅延要素の入力が該直列接続における直前のペアの電極に電気的に接続されるようになっている、インターフェースデバイス。
【請求項１７】
前記複数の遅延要素によって導入される前記それぞれの遅延期間は同じである、請求項１６に記載のインターフェースデバイス。
【請求項１８】
前記複数の遅延要素によって導入される前記それぞれの遅延期間は全て異なる、請求項１６に記載のインターフェースデバイス。